(57)【要約】【課題】食材をこぼすこと無く簡単に所定の食品を製作可能なガイドを成し、製作後の食品をそのままの状態で持運び可能なケースをも成す兼用器具を提供する。【解決手段】当該器具１００は、第１及び第２ガイド・ケース兼用本体２００，３００、並びに、蓋部より成る。本体２００は、他方の端部が凹凸部１Ｅを成す底板部１、各々Ｒ１，Ｒ２周りに回動可能で非貫通開孔部２ＢＨ，３ＢＨを有する側板部２，３、Ｒ３周りに回動可能で開孔部２ＢＨ，３ＢＨに嵌合される突出部４Ｂ，４Ｃを有する側板部４を有する。本体３００は、他方の端部が凹凸部１Ｅと着脱自在に嵌合可能な凹凸部５Ｅを成す底板部５、各々Ｒ４，Ｒ５周りに回動可能で非貫通開孔部６ＢＨ，７ＢＨを有する側板部６，７、Ｒ６周りに回動可能で開孔部６ＢＨ，７ＢＨに嵌合される突出部８Ｂ，８Ｃを有する側板部８を有する。各部２Ｃ，６Ｃ、７Ｃ，３Ｃは互いに係止される関係にある。【選択図】図１
0003207287.tif 000002
【実用新案登録請求の範囲】
【請求項１】
第１ガイド・ケース兼用本体と、
第２ガイド・ケース兼用本体と
を備える食品製作ガイド及び食品持運びケース兼用器具であって、
（Ａ）前記第１ガイド・ケース兼用本体は、
第１底板部と、
第１側板部と、
第２側板部と、
第３側板部と
を備えており、
（１）前記第１底板部は、
（１ａ）第１平面部と、
（１ｂ）前記第１平面部の長手方向に関して互いに対向し且つ前記長手方向に直交する前記第１平面部の幅方向に延在しつつ、前記第１平面部の上面に立設されている、第１側面部及び第２側面部と、
（１ｃ）前記第１平面部の前記上面の内で前記長手方向に延在する一方の端部に立設されていると共に、前記第１側面部の一方の端部と当該第１側面部の一方の端部に前記長手方向に関して対向する前記第２側面部の一方の端部とを互いに繋げて前記長手方向に延在する第３側面部と、
（１ｄ）前記幅方向に関して前記第１平面部の前記一方の端部に対向する前記第１平面部の他方の端部に於いて、前記幅方向に沿って窪んだ凹部と前記幅方向に沿って突出した凸部とが前記第１平面部の上下方向に関して段差を成しつつ前記長手方向に沿って交互に連続的に並んで成る凹凸部と
を備えており、
（２）前記第１側板部は、
（２ａ）前記第１底板部の前記第１側面部の上面部に略１８０°の範囲内で自在に回動可能に結合されており、互いに対向しつつ前記幅方向に延在する上面及び下面を有すると共に、前記上面及び前記下面の一方の端部は前記第１底板部の前記第１側面部の前記一方の端部に対応しており、且つ、前記上面及び前記下面の他方の端部は前記幅方向に関して前記第１底板部の前記第１側面部の前記一方の端部に対向する前記第１底板部の前記第１側面部の他方の端部に対応している、第１側板部本体部と、
（２ｂ）前記第１側板部本体部の前記上面の前記一方の端部に於いて前記第１底板部の前記第１平面部側に向けて突出する様に立設されていると共に、非貫通の開孔部である第１側板部開孔部をその上面部に有する第１側板部端部と、
（２ｃ）前記第１側板部本体部の前記下面の内の前記他方の端部側の部分上に配設されている凸状の第１側板部突出部と
を備えており、
（３）前記第２側板部は、
（３ａ）前記第１底板部の前記第２側面部の上面部に略１８０°の範囲内で自在に回動可能に結合されており、互いに対向しつつ前記幅方向に延在する上面及び下面を有すると共に、前記上面及び前記下面の一方の端部は前記第１底板部の前記第２側面部の前記一方の端部に対応しており、且つ、前記上面及び前記下面の他方の端部は前記幅方向に関して前記第１底板部の前記第２側面部の前記一方の端部に対向する前記第１底板部の前記第２側面部の他方の端部に対応している、第２側板部本体部と、
（３ｂ）前記第２側板部本体部の前記上面の前記一方の端部に於いて前記第１底板部の前記第１平面部側に向けて突出する様に立設されていると共に、非貫通の開孔部である第２側板部開孔部をその上面部に有する第２側板部端部と、
（３ｃ）前記第２側板部本体部の前記下面の内の前記他方の端部側の部分より当該他方の端部より外側へ向けて前記幅方向に沿って突出・延在しており、当該他方の端部より前記外側へ向けて延在する貫通した開口部をその略中央部に有する第２側板部延在部と
を備えており、
（４）前記第３側板部は、
（４ａ）前記第１底板部の前記第３側面部の上面部に略１８０°の範囲内で自在に回動可能に結合されており、互いに対向しつつ前記長手方向に延在する上面及び下面を有すると共に、当該上面及び当該下面の前記幅方向に延在する一方の端部は前記第１底板部の前記第１側面部の前記一方の端部に近接配設されており、且つ、当該上面及び当該下面の前記幅方向に延在する他方の端部は前記第１底板部の前記第２側面部の前記一方の端部に近接配設されている、第３側板部本体部と、
（４ｂ）前記第３側板部本体部の前記一方の端部の上面より前記第１側板部側へ向けて突出しており、前記第１側板部本体部が前記第１底板部の前記第１側面部の前記上面部に対して略垂直上方に位置する様に配設されている場合に於ける前記第１側板部開孔部内に全体的に嵌合可能な第３側板部一方端部側突出部と、
（４ｃ）前記第３側板部本体部の前記他方の端部の上面より前記第２側板部側へ向けて突出しており、前記第２側板部本体部が前記第１底板部の前記第２側面部の前記上面部に対して略垂直上方に位置する様に配設されている場合に於ける前記第２側板部開孔部内に全体的に嵌合可能な第３側板部他方端部側突出部と
を備えており、
（Ｂ）前記第２ガイド・ケース兼用本体は、
第２底板部と、
第４側板部と、
第５側板部と、
第６側板部と
を備えており、
（５）前記第２底板部は、
（５ａ）第２平面部と、
（５ｂ）前記第１平面部の前記長手方向に対応する前記第２平面部の長手方向に関して互いに対向し且つ前記第２平面部の前記長手方向に直交する前記第２平面部の幅方向に延在しつつ、前記第２平面部の上面に立設されている、第４側面部及び第５側面部と、
（５ｃ）前記第２平面部の前記上面の内で前記第２平面部の前記長手方向に延在する一方の端部に立設されていると共に、前記第４側面部の一方の端部と当該第４側面部の一方の端部に前記第２平面部の前記長手方向に関して対向する前記第５側面部の一方の端部とを互いに繋げて前記第２平面部の前記長手方向に延在する第６側面部と、
（５ｄ）前記第２平面部の前記幅方向に関して前記第２平面部の前記一方の端部に対向する前記第２平面部の他方の端部に於いて、前記第２平面部の前記幅方向に沿って窪んだ凹部と前記第２平面部の前記幅方向に沿って突出した凸部とが前記第２平面部の上下方向に関して段差を成しつつ前記第２平面部の前記長手方向に沿って交互に連続的に並んで成る凹凸部と
を備えており、
（６）前記第４側板部は、
（６ａ）前記第２底板部の前記第４側面部の上面部に略１８０°の範囲内で自在に回動可能に結合されており、互いに対向しつつ前記第２平面部の前記幅方向に延在する上面及び下面を有すると共に、当該上面及び当該下面の一方の端部は前記第２底板部の前記第４側面部の前記一方の端部に対応しており、且つ、当該上面及び当該下面の他方の端部は前記第２平面部の前記幅方向に関して前記第２底板部の前記第４側面部の前記一方の端部に対向する前記第２底板部の前記第４側面部の他方の端部に対応している、第４側板部本体部と、
（６ｂ）前記第４側板部本体部の前記上面の前記一方の端部に於いて前記第２底板部の前記第２平面部側に向けて突出する様に立設されていると共に、非貫通の開孔部である第４側板部開孔部をその上面部に有する第４側板部端部と、
（６ｃ）前記第４側板部本体部の前記下面の内の前記他方の端部側の部分より当該他方の端部より外側へ向けて前記第２平面部の前記幅方向に沿って突出・延在しており、当該他方の端部より前記外側へ向けて延在する貫通した開口部をその略中央部に有する第４側板部延在部と
を備えており、
（７）前記第５側板部は、
（７ａ）前記第２底板部の前記第５側面部の上面部に略１８０°の範囲内で自在に回動可能に結合されており、互いに対向しつつ前記第２平面部の前記幅方向に延在する上面及び下面を有すると共に、当該上面及び当該下面の一方の端部は前記第２底板部の前記第５側面部の前記一方の端部に対応しており、且つ、当該上面及び当該下面の他方の端部は前記第２平面部の前記幅方向に関して前記第２底板部の前記第５側面部の前記一方の端部に対向する前記第２底板部の前記第５側面部の他方の端部に対応している、第５側板部本体部と、
（７ｂ）前記第５側板部本体部の前記上面の前記一方の端部に於いて前記第２底板部の前記第２平面部側に向けて突出する様に立設されていると共に、非貫通の開孔部である第５側板部開孔部をその上面部に有する第５側板部端部と、
（７ｃ）前記第５側板部本体部の前記下面の内の前記他方の端部側の部分上に配設されている凸状の第５側板部突出部と
を備えており、
（８）前記第６側板部は、
（８ａ）前記第２底板部の前記第６側面部の上面部に略１８０°の範囲内で自在に回動可能に結合されており、互いに対向しつつ前記第２平面部の前記長手方向に延在する上面及び下面を有すると共に、当該上面及び当該下面の前記第２平面部の前記幅方向に延在する一方の端部は前記第２底板部の前記第４側面部の前記一方の端部に近接配設されており、且つ、当該上面及び当該下面の前記第２平面部の前記幅方向に延在する他方の端部は前記第２底板部の前記第５側面部の前記一方の端部に近接配設されている、第６側板部本体部と、
（８ｂ）前記第６側板部本体部の前記一方の端部の上面より前記第４側板部側へ向けて突出しており、前記第４側板部本体部が前記第２底板部の前記第４側面部の前記上面部に対して略垂直上方に位置する様に配設されている場合に於ける前記第４側板部開孔部内に全体的に嵌合可能な第６側板部一方端部側突出部と、
（８ｃ）前記第６側板部本体部の前記他方の端部の上面より前記第５側板部側へ向けて突出しており、前記第５側板部本体部が前記第２底板部の前記第５側面部の前記上面部に対して略垂直上方に位置する様に配設されている場合に於ける前記第５側板部開孔部内に全体的に嵌合可能な第６側板部他方端部側突出部と
を備えており、
前記第１底板部の前記凹凸部と前記第２底板部の前記凹凸部とは、前記第１底板部の前記凹凸部の各凸部が前記第２底板部の前記凹凸部の内の対応する凹部に着脱自在に嵌合され、且つ、前記第１底板部の前記凹凸部の各凹部が前記第２底板部の前記凹凸部の内の対応する凸部に着脱自在に嵌合される、という対応関係に有り、
前記第１側板部の前記第１側板部突出部と前記第４側板部の前記第４側板部延在部とは、前記第１側板部突出部が前記第４側板部延在部の前記開口部に係止される、という対応関係に有り、
前記第２側板部の前記第２側板部延在部と前記第５側板部の前記第５側板部突出部とは、前記第５側板部突出部が前記第２側板部延在部の前記開口部に係止される、という対応関係に有る
ことを特徴とする、食品製作ガイド及び食品持運びケース兼用器具。
【請求項２】
請求項１に記載の食品製作ガイド及び食品持運びケース兼用器具であって、
前記第３側板部一方端部側突出部及び前記第３側板部他方端部側突出部の各々は前記第１側板部開孔部内及び前記第２側板部開孔部内に全体的に嵌合されており、
前記第６側板部一方端部側突出部及び前記第６側板部他方端部側突出部の各々は前記第４側板部開孔部内及び前記第５側板部開孔部内に全体的に嵌合されており、
前記第１底板部の前記凹凸部と前記第２底板部の前記凹凸部とは互いに着脱自在に嵌合されており、
前記第１側板部突出部は前記第４側板部延在部の前記開口部に係止されており、且つ、
前記第５側板部突出部は前記第２側板部延在部の前記開口部に係止されている場合に於いて、
前記第１側板部乃至前記第６側板部の各々によって囲まれて成る上部開口部分を全体的に被覆すると共に、係止状態にある、前記第１側板部突出部及び前記第４側板部延在部並びに前記第５側板部突出部及び前記第２側板部延在部の全体をも被覆可能な、形状を有する蓋部を
更に備えることを特徴とする、食品製作ガイド及び食品持運びケース兼用器具。
【考案の詳細な説明】
【技術分野】
【０００１】
この考案は、例えばサンドイッチ等の食品を自作してそのまま当該食品を持ち運び可能な、食品製作ガイド及び食品持運びケース兼用器具に関する。
【背景技術】
【０００２】
食パンの上に、通常の量よりも遥かに多い量の山盛りのお気に入りの具を載せて、その上から別の食パンで当該具を抑え込む様に当該別の食パンを上乗せすることで、所謂「わんぱくサンド」を作るレシピが、紹介されている（例えば、非特許文献１を参照。）。
【先行技術文献】
【非特許文献】
【０００３】
【非特許文献１】なるほど！ブログ「わんぱくサンドの作り方と包み方、人気の具とレシピはこれ！「URL;  http://naru-hodo.com/archives/4599.html 」
【考案の概要】
【考案が解決しようとする課題】
【０００４】
上記非特許文献１で紹介されている「わんぱくサンド」の作り方に於いては、「食パン＋山盛りの量の具＋食パン」から成る食材を、ラップ等の包装材で完全に包み込んだ上で、当該食材を包丁又はナイフで２個に切断する。
【０００５】
しかしながら、この製作方法では、製作する度にラップ等の包装材が必要であり、しかも、ラップ等で完全に食材の形を変形させること無く包み込んだ上で、包み込まれた食材をこぼしてしまうことなく完全に切断することは容易ではない。加えて、切断後の２つに分かれた「わんぱくサンド」は互いに分離しており、切断箇所を除いてラップで覆われた２つの「わんぱくサンド」を収納して持ち運ぶための容器が別途に必要となる。
【０００６】
斯かる問題点は、必ずしも、「わんぱくサンド」の製作に限った話ではなく、その他の食品を製作してそのまま持ち運びたい場合にも生じ得る問題点でもある。
【０００７】
この考案は、この様な問題認識に基づき成されたものであって、その主目的は、具材等の食材を製作時にこぼしてしまうこと無く簡単に所定の食品を製作することが可能なガイドを成すと共に、当該ガイドが製作された当該所定の食品をそのままの状態で持運び可能とするケースとしても機能し得る「食品製作ガイド及び食品持運びケース兼用器具」を提供することにある。
【課題を解決するための手段】
【０００８】
本考案の主題に係る食品製作ガイド及び食品持運びケース兼用器具は、第１ガイド・ケース兼用本体と、第２ガイド・ケース兼用本体とを備えており、（Ａ）前記第１ガイド・ケース兼用本体は、第１底板部と、第１側板部と、第２側板部と、第３側板部とを備えており、（１）前記第１底板部は、（１ａ）第１平面部と、（１ｂ）前記第１平面部の長手方向に関して互いに対向し且つ前記長手方向に直交する前記第１平面部の幅方向に延在しつつ、前記第１平面部の上面に立設されている、第１側面部及び第２側面部と、（１ｃ）前記第１平面部の前記上面の内で前記長手方向に延在する一方の端部に立設されていると共に、前記第１側面部の一方の端部と当該第１側面部の一方の端部に前記長手方向に関して対向する前記第２側面部の一方の端部とを互いに繋げて前記長手方向に延在する第３側面部と、（１ｄ）前記幅方向に関して前記第１平面部の前記一方の端部に対向する前記第１平面部の他方の端部に於いて、前記幅方向に沿って窪んだ凹部と前記幅方向に沿って突出した凸部とが前記第１平面部の上下方向に関して段差を成しつつ前記長手方向に沿って交互に連続的に並んで成る凹凸部とを備えており、（２）前記第１側板部は、（２ａ）前記第１底板部の前記第１側面部の上面部に略１８０°の範囲内で自在に回動可能に結合されており、互いに対向しつつ前記幅方向に延在する上面及び下面を有すると共に、前記上面及び前記下面の一方の端部は前記第１底板部の前記第１側面部の前記一方の端部に対応しており、且つ、前記上面及び前記下面の他方の端部は前記幅方向に関して前記第１底板部の前記第１側面部の前記一方の端部に対向する前記第１底板部の前記第１側面部の他方の端部に対応している、第１側板部本体部と、（２ｂ）前記第１側板部本体部の前記上面の前記一方の端部に於いて前記第１底板部の前記第１平面部側に向けて突出する様に立設されていると共に、非貫通の開孔部である第１側板部開孔部をその上面部に有する第１側板部端部と、（２ｃ）前記第１側板部本体部の前記下面の内の前記他方の端部側の部分上に配設されている凸状の第１側板部突出部とを備えており、（３）前記第２側板部は、（３ａ）前記第１底板部の前記第２側面部の上面部に略１８０°の範囲内で自在に回動可能に結合されており、互いに対向しつつ前記幅方向に延在する上面及び下面を有すると共に、前記上面及び前記下面の一方の端部は前記第１底板部の前記第２側面部の前記一方の端部に対応しており、且つ、前記上面及び前記下面の他方の端部は前記幅方向に関して前記第１底板部の前記第２側面部の前記一方の端部に対向する前記第１底板部の前記第２側面部の他方の端部に対応している、第２側板部本体部と、（３ｂ）前記第２側板部本体部の前記上面の前記一方の端部に於いて前記第１底板部の前記第１平面部側に向けて突出する様に立設されていると共に、非貫通の開孔部である第２側板部開孔部をその上面部に有する第２側板部端部と、（３ｃ）前記第２側板部本体部の前記下面の内の前記他方の端部側の部分より当該他方の端部より外側へ向けて前記幅方向に沿って突出・延在しており、当該他方の端部より前記外側へ向けて延在する貫通した開口部をその略中央部に有する第２側板部延在部��を備えており、（４）前記第３側板部は、（４ａ）前記第１底板部の前記第３側面部の上面部に略１８０°の範囲内で自在に回動可能に結合されており、互いに対向しつつ前記長手方向に延在する上面及び下面を有すると共に、当該上面及び当該下面の前記幅方向に延在する一方の端部は前記第１底板部の前記第１側面部の前記一方の端部に近接配設されており、且つ、当該上面及び当該下面の前記幅方向に延在する他方の端部は前記第１底板部の前記第２側面部の前記一方の端部に近接配設されている、第３側板部本体部と、（４ｂ）前記第３側板部本体部の前記一方の端部の上面より前記第１側板部側へ向けて突出しており、前記第１側板部本体部が前記第１底板部の前記第１側面部の前記上面部に対して略垂直上方に位置する様に配設されている場合に於ける前記第１側板部開孔部内に全体的に嵌合可能な第３側板部一方端部側突出部と、（４ｃ）前記第３側板部本体部の前記他方の端部の上面より前記第２側板部側へ向けて突出しており、前記第２側板部本体部が前記第１底板部の前記第２側面部の前記上面部に対して略垂直上方に位置する様に配設されている場合に於ける前記第２側板部開孔部内に全体的に嵌合可能な第３側板部他方端部側突出部とを備えており、（Ｂ）前記第２ガイド・ケース兼用本体は、第２底板部と、第４側板部と、第５側板部と、第６側板部とを備えており、（５）前記第２底板部は、（５ａ）第２平面部と、（５ｂ）前記第１平面部の前記長手方向に対応する前記第２平面部の長手方向に関して互いに対向し且つ前記第２平面部の前記長手方向に直交する前記第２平面部の幅方向に延在しつつ、前記第２平面部の上面に立設されている、第４側面部及び第５側面部と、（５ｃ）前記第２平面部の前記上面の内で前記第２平面部の前記長手方向に延在する一方の端部に立設されていると共に、前記第４側面部の一方の端部と当該第４側面部の一方の端部に前記第２平面部の前記長手方向に関して対向する前記第５側面部の一方の端部とを互いに繋げて前記第２平面部の前記長手方向に延在する第６側面部と、（５ｄ）前記第２平面部の前記幅方向に関して前記第２平面部の前記一方の端部に対向する前記第２平面部の他方の端部に於いて、前記第２平面部の前記幅方向に沿って窪んだ凹部と前記第２平面部の前記幅方向に沿って突出した凸部とが前記第２平面部の上下方向に関して段差を成しつつ前記第２平面部の前記長手方向に沿って交互に連続的に並んで成る凹凸部とを備えており、（６）前記第４側板部は、（６ａ）前記第２底板部の前記第４側面部の上面部に略１８０°の範囲内で自在に回動可能に結合されており、互いに対向しつつ前記第２平面部の前記幅方向に延在する上面及び下面を有すると共に、当該上面及び当該下面の一方の端部は前記第２底板部の前記第４側面部の前記一方の端部に対応しており、且つ、当該上面及び当該下面の他方の端部は前記第２平面部の前記幅方向に関して前記第２底板部の前記第４側面部の前記一方の端部に対向する前記第２底板部の前記第４側面部の他方の端部に対応している、第４側板部本体部と、（６ｂ）前記第４側板部本体部の前記上面の前記一方の端部に於いて前記第２底板部の前記第２平面部側に向けて突出する様に立設されていると���に、非貫通の開孔部である第４側板部開孔部をその上面部に有する第４側板部端部と、（６ｃ）前記第４側板部本体部の前記下面の内の前記他方の端部側の部分より当該他方の端部より外側へ向けて前記第２平面部の前記幅方向に沿って突出・延在しており、当該他方の端部より前記外側へ向けて延在する貫通した開口部をその略中央部に有する第４側板部延在部とを備えており、（７）前記第５側板部は、（７ａ）前記第２底板部の前記第５側面部の上面部に略１８０°の範囲内で自在に回動可能に結合されており、互いに対向しつつ前記第２平面部の前記幅方向に延在する上面及び下面を有すると共に、当該上面及び当該下面の一方の端部は前記第２底板部の前記第５側面部の前記一方の端部に対応しており、且つ、当該上面及び当該下面の他方の端部は前記第２平面部の前記幅方向に関して前記第２底板部の前記第５側面部の前記一方の端部に対向する前記第２底板部の前記第５側面部の他方の端部に対応している、第５側板部本体部と、（７ｂ）前記第５側板部本体部の前記上面の前記一方の端部に於いて前記第２底板部の前記第２平面部側に向けて突出する様に立設されていると共に、非貫通の開孔部である第５側板部開孔部をその上面部に有する第５側板部端部と、（７ｃ）前記第５側板部本体部の前記下面の内の前記他方の端部側の部分上に配設されている凸状の第５側板部突出部とを備えており、（８）前記第６側板部は、（８ａ）前記第２底板部の前記第６側面部の上面部に略１８０°の範囲内で自在に回動可能に結合されており、互いに対向しつつ前記第２平面部の前記長手方向に延在する上面及び下面を有すると共に、当該上面及び当該下面の前記第２平面部の前記幅方向に延在する一方の端部は前記第２底板部の前記第４側面部の前記一方の端部に近接配設されており、且つ、当該上面及び当該下面の前記第２平面部の前記幅方向に延在する他方の端部は前記第２底板部の前記第５側面部の前記一方の端部に近接配設されている、第６側板部本体部と、（８ｂ）前記第６側板部本体部の前記一方の端部の上面より前記第４側板部側へ向けて突出しており、前記第４側板部本体部が前記第２底板部の前記第４側面部の前記上面部に対して略垂直上方に位置する様に配設されている場合に於ける前記第４側板部開孔部内に全体的に嵌合可能な第６側板部一方端部側突出部と、（８ｃ）前記第６側板部本体部の前記他方の端部の上面より前記第５側板部側へ向けて突出しており、前記第５側板部本体部が前記第２底板部の前記第５側面部の前記上面部に対して略垂直上方に位置する様に配設されている場合に於ける前記第５側板部開孔部内に全体的に嵌合可能な第６側板部他方端部側突出部とを備えており、前記第１底板部の前記凹凸部と前記第２底板部の前記凹凸部とは、前記第１底板部の前記凹凸部の各凸部が前記第２底板部の前記凹凸部の内の対応する凹部に着脱自在に嵌合され、且つ、前記第１底板部の前記凹凸部の各凹部が前記第２底板部の前記凹凸部の内の対応する凸部に着脱自在に嵌合される、という対応関係に有り、前記第１側板部の前記第１側板部突出部と前記第４側板部の前記第４側板部延在部とは、前記第１側板部突出部が前記第４側板部延在部の前記開口部に係止される、という対応関係に有り、前記第２側板部の前記第２側板部延在部と前記第５側板部の前記第５側板部突出部とは、前記第５側板部突出部が前記第２側板部延在部の前記開口部に係止される、という対応関係に有ることを特徴とする。
【考案の効果】
【０００９】
本考案の主題に係る食品製作ガイド及び食品持運びケース兼用器具によれば、第１ガイド・ケース兼用本体と第２ガイド・ケース兼用本体とを組み立てて適切に配置することで、組立て後の第１ガイド・ケース兼用本体及び第２ガイド・ケース兼用本体は、具材等の食材を当該食材のカット等の製作時にこぼしてしまうこと無く簡単に所定の食品を製作することを可能とする「ガイド」として機能することが出来る。
【００１０】
しかも、本考案の主題に係る食品製作ガイド及び食品持運びケース兼用器具によれば、所定の食品を製作した後に、組立て後の第１ガイド・ケース兼用本体と第２ガイド・ケース兼用本体とを適切に配置して両本体同士を一体化させることで、第１ガイド・ケース兼用本体及び第２ガイド・ケース兼用本体は、製作後の当該所定の食品をそのままの状態で持運びを可能とする「ケース」としても機能することが出来る。
【００１１】
以下、本考案の様々な具体化を、添付図面を基に、その効果・利点と共に、詳述する。
【図面の簡単な説明】
【００１２】
【図１】本考案の実施の形態１に係る食品製作ガイド及び食品持運びケース兼用器具の第１ガイド・ケース兼用本体及び第２ガイド・ケース兼用本体の、組立て前の状態に於ける上方から眺めた平面視的構成を示す平面図である。
【図２】本考案の実施の形態１に係る食品製作ガイド及び食品持運びケース兼用器具の組立て後の第１ガイド・ケース兼用本体を図１に示す各矢印の方向から眺めた際の同本体の構成を示す正面図である。
【図３】本考案の実施の形態１に係る食品製作ガイド及び食品持運びケース兼用器具の組立て後の第１ガイド・ケース兼用本体を図１に示す矢印の方向から眺めた際の同本体の構成を示す正面図である。
【図４】本考案の実施の形態１に係る食品製作ガイド及び食品持運びケース兼用器具に於ける、組立て後の第１ガイド・ケース兼用本体及び第２ガイド・ケース兼用本体を、それらの下方から眺めた際の平面視的構成を示す平面図である。
【図５】本実施の形態に係る食品製作ガイド及び食品持運びケース兼用器具の蓋部を上方から眺めた際の当該蓋部の表面側の構成を模式的に示す平面図である。
【図６】本考案の実施の形態１に係る食品製作ガイド及び食品持運びケース兼用器具に於ける、組立て後の第１ガイド・ケース兼用本体及び第２ガイド・ケース兼用本体を使用して、サンドイッチ（例：わんぱくサンド）を製作する方法を模式的に示す斜視図である。
【図７】本考案の実施の形態１に係る食品製作ガイド及び食品持運びケース兼用器具に於ける、組立て後の第１ガイド・ケース兼用本体及び第２ガイド・ケース兼用本体を使用して、製作された後のサンドイッチ（例：わんぱくサンド）をそのままの状態で収容するケースとして適用される構成を模式的に示す斜視図である。
【図８】本考案の実施の形態１に係る食品製作ガイド及び食品持運びケース兼用器具の第１ガイド・ケース兼用本体及び第２ガイド・ケース兼用本体が折り畳まれた状態で蓋部の裏側内に収納されている状態を模式的に示す平面図である。
【考案を実施するための形態】
【００１３】
（実施の形態１）
＜食品製作ガイド及び食品持運びケース兼用器具の各ユニットの構成＞
【００１４】
本実施の形態に係る食品製作ガイド及び食品持運びケース兼用器具は、大要、１）第１ガイド・ケース兼用本体、２）第２ガイド・ケース兼用本体、及び、３）蓋部の、３つのユニットの組み合わせより構成される器具である。この内、１）第１ガイド・ケース兼用本体、及び、２）第２ガイド・ケース兼用本体は、共に、後程詳述される通り、それぞれが組み立てられることでサンドイッチ（例：わんぱくサンド）等の所定の食品を製作する際の「ガイド」として機能すると共に、製作後の当該食品を収納してそのまま持ち運び可能な「ケース」としても機能し得るユニットである。又、３）の蓋部は、上記ケースの蓋部分を成すと共に、本器具の未使用時に上記の１）第１ガイド・ケース兼用本体及び２）第２ガイド・ケース兼用本体を、それらが折り畳まれた状態に於いて、その裏側内にコンパクトに収納可能とするものである。以下、本実施の形態に係る食品製作ガイド及び食品持運びケース兼用器具の上記各ユニットの構成及びそれらのユニットの使用方法について、図面を参照しつつ、具体的に詳述する。
【００１５】
ここで、図１は、本実施の形態に係る食品製作ガイド及び食品持運びケース兼用器具１００の主要な２つのユニットを成す、第１ガイド・ケース兼用本体２００及び第２ガイド・ケース兼用本体３００の、組立て前の状態に於ける上方から眺めた平面視的構成を示す平面図である。又、図２（ａ）は、組立て後の第１ガイド・ケース兼用本体２００を図１の矢印ＡＲ１の方向から眺めた際の同本体２００の構成を示す正面図である。尚、図２（ａ）に示される正面視構成は、組立て後の第２ガイド・ケース兼用本体３００を図１の矢印ＡＲ４の方向から眺めた際の同本体３００の正面視的構成に相当している。又、図２（ｂ）は、組立て後の第１ガイド・ケース兼用本体２００を図１の矢印ＡＲ２の方向から眺めた際の同本体２００の構成を示す正面図である。尚、図２（ｂ）に示される正面視構成は、組立て後の第２ガイド・ケース兼用本体３００を図１の矢印ＡＲ５の方向から眺めた際の同本体３００の正面視的構成に相当している。又、図３は、組立て後の第１ガイド・ケース兼用本体２００を図１の矢印ＡＲ３の方向から眺めた際の同本体２００の構成を示す正面図である。同様に、図３に示される正面視構成は、組立て後の第２ガイド・ケース兼用本体３００を図１の矢印ＡＲ６の方向から眺めた際の同本体３００の正面視的構成に相当している。更に、図４は、共に組立てられた後の第１ガイド・ケース兼用本体２００及び第２ガイド・ケース兼用本体３００を、その裏側ないしは下方から眺めた際の平面視的構成を示す平面図である。更に、図５は、本実施の形態に係る食品製作ガイド及び食品持運びケース兼用器具１００の第３番目のユニットを成す蓋部４００を上方から眺めた際の蓋部４００の表面側の構成を模式的に示す平面図である。
【００１６】
ここで、第１ガイド・ケース兼用本体２００及び第２ガイド・ケース兼用本体３００並びに蓋部４００は、何れも、例えばポリプロピレンの様な合成樹脂を材質として有するものであるが、この材質は一例であって、これに限定されるものではない。
【００１７】
Ａ．第１ガイド・ケース兼用本体２００の構成
【００１８】
図１に示される通り、第１ガイド・ケース兼用本体２００は、概要、１）第１底板部１、２）第１側板部２、３）第２側板部３、及び、４）第３側板部４より構成される。
【００１９】
１）  この内、第１底板部１は、（１ａ）第１平面部１Ａ、（１ｂ）互いに対向する第１側面部１Ｂ及び第２側面部１Ｃ、（１ｃ）第３側面部１Ｄ、及び、（１ｄ）凹部及び凸部が連続して一列に並んで成る凹凸部１Ｅより構成される。
【００２０】
第１平面部１Ａは、その三方側が上記の第１側面部１Ｂ、第３側面部１Ｄ、及び第２側面部１Ｃの３側面で囲まれて成る全体的に凹状に窪んだ部分であり、その上面１ＡＵＳは全体的に平らな平面である。同様に、図４に示される通り、上面１ＡＵＳに対面する第１平面部１Ａの底面１ＡＢＳもまた、全体的に平らな平面である。そして、第１平面部１Ａの底面１ＡＢＳの内で、第１側板部２寄り側の面部分及び第２側板部３寄り側の面部分上には、平面視に於いて略円形となる突出部１ＡＢＰが配設されている。これら２個の突出部１ＡＢＰは、仮に第１ガイド・ケース兼用本体２００の第１底板部１を平らな床面に配置した場合には、当該床面に当接する部分である。
【００２１】
これに対して、第１側面部１Ｂ及び第２側面部１Ｃは、共に、図１乃至図３に例示される通り、第１平面部１Ａの長手方向ＤＬに関して互いに対向しており、且つ、長手方向ＤＬに直交する第１平面部１Ａの幅方向ＤＷに沿って延在しつつ、第１平面部１Ａの上面１ＡＵＳに立設された状態で第１平面部１Ａに結合している。又、第３側面部１Ｄは、図１及び図３に例示される通り、第１平面部１Ａの上面１ＡＵＳの内で、長手方向ＤＬに沿って延在する一方の端部１ＡＥ１に立設された状態で以って第１平面部１Ａに結合している。そして、第３側面部１Ｄは、第１側面部１Ｂの一方の端部１ＢＥ１と、第１側面部１Ｂの一方の端部１ＢＥ１に長手方向ＤＬに関して対向する第２側面部１Ｃの一方の端部１ＣＥ１とを互いに繋げて長手方向ＤＬに沿って延在する側面部であり、図３の正面視に示される様に、凹状に窪んだ上面を有している。寸法関係としては、第３側面部１Ｄの当該凹状の上面の第１平面部１Ａの上面１ＡＵＳからの高さ寸法は、第１側面部１Ｂ及び第２側面部１Ｃの各々の上面の第１平面部１Ａの上面１ＡＵＳからの高さ寸法よりも小さい。換言すれば、第１平面部１Ａの上面１ＡＵＳから眺めて、第１側面部１Ｂ及び第２側面部１Ｃの各々の上面よりも、第３側面部１Ｄの当該凹状の上面の方が低い位置にある。
【００２２】
そして、凹凸部１Ｅは、図１及び図４に示される通り、幅方向ＤＷに関して第１平面部１Ａの一方の端部１ＡＥ１に対向する第１平面部１Ａの他方の端部１ＡＥ２に於いて、幅方向ＤＷに沿って波状に窪んだ凹部１ＥＣと、幅方向ＤＷに沿って波状に突出した凸部１ＥＰとが、第１平面部１Ａの上下方向（上面１ＡＵＳから底面１ＡＢＳへと向かう方向。）に関して段差を成しつつ長手方向ＤＬに沿って交互に連続的に並んで成る部分である。より詳細には次の通りである。即ち、各凸部１ＥＰは、図１及び図４に示す通り、第１平面部１Ａの他方の端部１ＡＥ２の内の対応する一部分が当該端部１ＡＥ２より幅方向ＤＷに突出することで、図１に例示される様に、上方から眺めた平面視に於いて、正弦波の上側の半波に該当する略波型のＲ状に湾曲した波形状を有している。しかも、図１及び図４に示す通り、各凸部１ＥＰの当該端部１ＡＥ２より幅方向ＤＷに突出した部分の底面１ＡＢＳ側部分は、第１平面部１Ａの底面１ＡＢＳより段差を成す様に窪んだ平面部分１ＥＰＣを成しており、当該窪んだ平面部１ＥＰＣの外縁寄り略中央部には、後述する各凹部５ＥＣの窪み部５ＡＥＰとの係止用の突起部１ＥＰＰが配設されている。これに対して、各凹部１ＥＣは、図１に示される通り、第１平面部１Ａの他方の端部１ＡＥ２の内の対応する一部分が当該端部１ＡＥ２より幅方向ＤＷに向けて内側に削り取られる態様によって、上方から眺めた平面視に於いて、正弦波の下側の半波に該当する略波型のＲ状に湾曲して窪んだ波形状を有している。しかも、図１に示される通り、各凹部１ＥＣの湾曲波形状により露出した、第１平面部１Ａの他方の端部１ＡＥ２側の窪み部分１ＡＥＰは、当該他方の端部１ＡＥ２を規定する立設状の枠部１ＥＣＷと対応する凹部１ＥＣのＲ状壁面とで囲まれつつ窪んだ平面を成している。この各凹部１ＥＣの窪み部分１ＡＥＰ内に、後述する通り、第２ガイド・ケース兼用本体３００の対応する凸部５ＥＰの突起部５ＥＰＰが挿入されて突起部５ＥＰＰは窪み部分１ＡＥＰに係止されることになる。その上で、各凹部１ＥＣは、図１乃至図４に示される通り、第１平面部１Ａの底面１ＡＢＳより幅方向ＤＷに沿って内側へ向けて突出しつつ延在している。そして、各凹部１ＥＣの底面１ＡＢＳから突出した高さ寸法は、既述した突出部１ＡＢＰの高さ寸法と同一である。従って、各凹部１ＥＣの突出した底部１ＥＣＢは、２個の相対する突出部１ＡＢＰと共に、仮に第１ガイド・ケース兼用本体２００の第１底板部１を平らな床面に配置した場合には、当該床面に当接することとなる。以上の通り、凹凸部１Ｅの、長手方向ＤＬに沿って交互に連設して成る各凸部１ＥＰ及び各凹部１ＥＣは、第１平面部１Ａの底面１ＡＢＳを基準として、乃至は、底面１ＡＢＳから見て、上記上下方向に関する段差を、長手方向ＤＬに沿って連続的に形成している。
【００２３】
２）  次に、第１側板部２は、（２ａ）第１側板部本体部２Ａ、（２ｂ）第１側板部端部２Ｂ、及び、（２ｃ）第１側板部突出部２Ｃより構成される。詳細は次の通りである。
【００２４】
先ず、第１側板部本体部２Ａは、第１底板部１の第１側面部１Ｂの上面部に、第１平面部１Ａの上面１ＡＵＳに平行な面を基準として当該平行面から略１８０°の範囲内で回動方向Ｒ１へ自在に回動可能に、結合されている。即ち、第１側板部本体部２Ａは、同部２Ａの一部分を成す連結部２ＡＣ（図示の便宜上、ハッチング表示されている。「ヒンジ」とも称される。蝶番に相当。）を介して、上記略１８０°の回動範囲内での回動方向Ｒ１への回動を可能とする。この連結部２ＡＣも、第１側板部２乃至は第１側板部本体部２Ａと同一の材質より成る。しかし、連結部２ＡＣの厚みは、第１側板部本体部２Ａの厚みよりも十分に薄い値に設定されており、斯かる厚み設定によって、連結部２ＡＣは、連結部２ＡＣと第１側面部１Ｂの上記上面部との結合部（固定部分である。）の周りに、第１平面部１Ａの上面１ＡＵＳに平行な面を基準とした略１８０°の回動範囲内での回動方向Ｒ１への回動を実現する。斯かる厚み設定の一例としては、例えば、第１底板部１の各部１Ａ，１Ｂ，１Ｃ，１Ｄの厚みが２．４ｍｍ、第１側板部本体部２Ａ及び第１側板部端部２Ｂの厚みが２．３ｍｍである場合に於いて、第１側板部本体部２Ａの連結部２ＡＣの厚みは０．３ｍｍに設定される。又、第１側板部本体部２Ａは、図１、図２（ａ）、図３及び図４に例示される通り、互いに対向しつつ幅方向ＤＷに延在する上面２ＡＵＳ及び下面２ＡＬＳを有する。そして、図１に示される様に、上面２ＡＵＳ及び下面２ＡＬＳの一方の端部２ＡＥ１は、第１底板部１の第１側面部１Ｂの一方の端部１ＢＥ１に対応しており、上面２ＡＵＳ及び下面２ＡＬＳの他方の端部２ＡＥ２は、幅方向ＤＷに関して第１側面部１Ｂの一方の端部１ＢＥ１に対向する第１底板部１の第１側面部１Ｂの他方の端部１ＢＥ２に対応している。更に、第１側板部本体部２Ａは、その各々が幅方向ＤＷに沿って並行に設けられた、上面２ＡＵＳ及び下面２ＡＬＳを貫通する、３個の貫通孔２ＡＨを有する。これらの貫通孔２ＡＨは、後述する、第１ガイド・ケース兼用本体２００の他の側板部３，４に於ける全ての貫通孔３ＡＨ，４ＡＨと共に、第１ガイド・ケース兼用本体２００の組立時に、持運び可能なケースに於ける「籠の覗き窓」の如く、機能し得る。
【００２５】
次に、第１側板部本体部２Ａと連続的に繋がった第１側板部端部２Ｂは、第１側板部本体部２Ａの上面２ＡＵＳ及び下面２ＡＬＳの一方の端部２ＡＥ１に於いて、第１底板部１の第１平面部１Ａ側に向けて突出する様に立設されている。そして、第１側板部端部２Ｂは、非貫通の開孔部である第１側板部開孔部２ＢＨを、その上面部２ＢＵＰ（図３参照。）に有する。
【００２６】
更に、凸状に突出した第１側板部突出部２Ｃは、図１及び図２（ａ）に示される通り、第１側板部本体部２Ａの下面２ＡＬＳの内の、他方の端部２ＡＥ２寄り側の部分上に、配設されている。この第１側板部突出部２Ｃは、図１に示される様に、下面２ＡＬＳの他方の端部２ＡＥ２寄り側の部分から下面２ＡＬＳの中央部に向けて次第に盛り上がる様に、幅方向ＤＷに沿って傾斜しつつ延在しており、その端部の頂部より下面２ＡＬＳに向けて略直角に落ち込んでいる。
【００２７】
３）  次に、第２側板部３は、（３ａ）第２側板部本体部３Ａ、（３ｂ）第２側板部端部３Ｂ、及び、（３ｃ）第２側板部延在部２Ｃより構成される。詳細は次の通りである。
【００２８】
先ず、第２側板部本体部３Ａは、第１底板部１の第２側面部１Ｃの上面部に、第１平面部１Ａの上面１ＡＵＳに平行な面を基準として当該平行面から略１８０°の範囲内で回動方向Ｒ２へ自在に回動可能に、結合されている。即ち、第２側板部本体部３Ａは、同部３Ａの一部分を成す連結部３ＡＣ（図示の便宜上、ハッチング表示されている。同様に、「ヒンジ」とも称される。）を介して、上記略１８０°の回動範囲内での回動方向Ｒ２への回動を可能とする。この連結部３ＡＣも、第２側板部３乃至は第２側板部本体部３Ａと同一の材質より成る。そして、連結部３ＡＣの厚みは、第２側板部本体部３Ａの厚みよりも十分に薄い値に設定されており、斯かる厚み設定によって、連結部３ＡＣは、同様に、連結部３ＡＣと第２側面部１Ｃの上記上面部との結合部（固定部分。）の周りに、第１平面部１Ａの上面１ＡＵＳに平行な面を基準とした略１８０°の回動範囲内での回動方向Ｒ２への回動を実現する。斯かる厚み設定の一例としては、例えば、第１底板部１の各部１Ａ，１Ｂ，１Ｃ，１Ｄの厚みが２．４ｍｍ、第２側板部本体部３Ａ及び第２側板部端部３Ｂの厚みが２．３ｍｍである場合に於いて、連結部３ＡＣの厚みは０．３ｍｍに設定される。又、第２側板部本体部３Ａは、図１、図２（ｂ）、図３及び図４に例示される通り、互いに対向しつつ幅方向ＤＷに延在する上面３ＡＵＳ及び下面３ＡＬＳを有する。そして、図１に示される様に、上面３ＡＵＳ及び下面３ＡＬＳの一方の端部３ＡＥ１は、第１底板部１の第２側面部１Ｃの一方の端部１ＣＥ１に対応しており、上面３ＡＵＳ及び下面３ＡＬＳの他方の端部３ＡＥ２は、幅方向ＤＷに関して第２側面部１Ｃの一方の端部１ＣＥ１に対向する第１底板部１の第２側面部１Ｃの他方の端部１ＣＥ２に対応している。更に、第２側板部本体部３Ａは、その各々が幅方向ＤＷに沿って並行に設けられた、上面３ＡＵＳ及び下面３ＡＬＳを貫通する、５個の貫通孔３ＡＨを有する。
【００２９】
次に、第２側板部本体部３Ａと連続的に繋がった第２側板部端部３Ｂは、第２側板部本体部３Ａの上面３ＡＵＳ及び下面３ＡＬＳの一方の端部３ＡＥ１に於いて、第１底板部１の第１平面部１Ａ側に向けて突出する様に立設されている。そして、第２側板部端部３Ｂは、非貫通の開孔部である第２側板部開孔部３ＢＨを、その上面部３ＢＵＰ（図３参照。）に有する。
【００３０】
更に、図１及び図２（ｂ）に示される通り、第２側板部延在部３Ｃが、第２側板部本体部３Ａの下面３ＡＬＳの内の、他方の端部３ＡＥ２寄り側の部分より、当該他方の端部３ＡＥ２より外側へ向けて幅方向ＤＷに沿って突出し且つ延在している。この第２側板部延在部３Ｃは、図１に示される通り、幅方向ＤＷに沿って連続的に形成された凹凸形状部分（波型形状部分）３Ｃ１，３Ｃ２を有している。しかも、第２側板部延在部３Ｃは、その略中央部に該当する上記凹形状部分３Ｃ１に於いて、他方の端部３ＡＥ２より外側へ向けて延在する、上記凹形状部分３Ｃ１を貫通する開口部３ＣＨを有する。尚、図２（ｂ）に示される参照符号３Ｃ２Ｃは、第２側板部延在部３Ｃの上記凸形状部分３Ｃ２の裏面に形成されている凸状に湾曲している窪み部分である。
【００３１】
４）  次に、第３側板部４は、（４ａ）第３側板部本体部４Ａ、（４ｂ）第３側板部一方端部側突出部４Ｂ、及び、（４ｃ）第３側板部他方端部側突出部４Ｃより構成される。詳細は次の通りである。
【００３２】
先ず、第３側板部本体部４Ａは、第１底板部１の第３側面部１Ｄの上面部に、第１平面部１Ａの上面１ＡＵＳに平行な面を基準として当該平行面から略１８０°の範囲内で回動方向Ｒ３へ自在に回動可能に、結合されている。即ち、第３側板部本体部４Ａは、同部４Ａの一部分を成す連結部４ＡＣ（図示の便宜上、ハッチング表示されている。同様に、「ヒンジ」とも称される。）を介して、上記略１８０°の回動範囲内での回動方向Ｒ３への回動を可能とする。この連結部４ＡＣも、第３側板部４乃至は第３側板部本体部４Ａと同一の材質より成る。但し、連結部４ＡＣの厚みは、第３側板部本体部４Ａの厚みよりも十分に薄い値に設定されており、斯かる厚み設定によって、連結部４ＡＣは、連結部２ＡＣと同様に、連結部４ＡＣと第３側面部１Ｄの上記上面部との結合部（固定部分。）の周りに、第１平面部１Ａの上面１ＡＵＳに平行な面を基準とした略１８０°の回動範囲内での回動方向Ｒ３への回動を実現する。斯かる厚み設定の一例としては、例えば、第１底板部１の各部１Ａ，１Ｂ，１Ｃ，１Ｄの厚みが２．４ｍｍ、第３側板部本体部４Ａの厚みが２．３ｍｍである場合に於いて、連結部４ＡＣの厚みは０．３ｍｍに設定される。又、第３側板部本体部４Ａは、図１、図３及び図４に例示される通り、互いに対向しつつ長手方向ＤＬに延在する上面４ＡＵＳ及び下面４ＡＬＳを有する。そして、図１に示される様に、上面４ＡＵＳ及び下面４ＡＬＳの幅方向ＤＷに延在する一方の端部４ＡＥ１は、第１底板部１の第１側面部１Ｂの一方の端部１ＢＥ１に近接配設されている。他方、上面４ＡＵＳ及び下面４ＡＬＳの幅方向ＤＷに延在する他方の端部４ＡＥ２は、第１底板部１の第２側面部１Ｃの一方の端部１ＣＥ１に近接配設されている。更に、第３側板部本体部４Ａは、その各々が長手方向ＤＬに沿って並行に設けられた、上面４ＡＵＳ及び下面４ＡＬＳを貫通する、１２個の貫通孔４ＡＨを有する。
【００３３】
次に、第３側板部本体部４Ａと連続的に繋がった第３側板部一方端部側突出部４Ｂは、第３側板部本体部４Ａの一方の端部４ＡＥ１の上面より連続的に第１側板部２側へ向けて突出している。そして、第３側板部一方端部側突出部４Ｂは、第１側板部本体部２Ａが第１底板部１の第１側面部１Ｂの上記上面部に対して略垂直上方に位置する様に配設されている場合に於ける第１側板部開孔部２ＢＨ内に全体的に嵌合可能な形状・寸法を有する。
【００３４】
更に、第３側板部本体部４Ａと連続的に繋がった第３側板部他方端部側突出部４Ｃは、第３側板部本体部４Ａの他方の端部４ＡＥ２の上面より連続的に第２側板部３側へ向けて突出している。そして、第３側板部他方端部側突出部４Ｃは、第２側板部本体部３Ａが第１底板部１の第２側面部１Ｃの上記上面部に対して略垂直上方に位置する様に配設されている場合に於ける第２側板部開孔部３ＢＨ内に全体的に嵌合可能な形状・寸法を有する。
【００３５】
Ｂ．第２ガイド・ケース兼用本体３００の構成
【００３６】
図１に示される通り、第２ガイド・ケース兼用本体３００は、後述する凹凸部５Ｅの凹部５ＥＣ及ぶ凸部５ＥＰの配列が既述した凹凸部１Ｅの凹部１ＥＣ及ぶ凸部１ＥＰの配列とは逆転している点を除いて、基本的に、第１ガイド・ケース兼用本体２００と対称的な構成を具備している。即ち、第２ガイド・ケース兼用本体３００は、概要、１）第２底板部５、２）第４側板部６、３）第５側板部７、及び、４）第６側板部８より構成される。この内、第２底板部５は第１底板部１に対応した構成を有し、第４側板部６、第５側板部７及び第６側板部８はそれぞれ第１側板部２、第２側板部３及び第３側板部４に対応した構成を有している。以下、第２ガイド・ケース兼用本体３００の各部分５〜８の構成を詳述する。
【００３７】
１）  第２底板部５は、（５ａ）第２平面部５Ａ、（５ｂ）互いに対向する第４側面部５Ｂ及び第５側面部５Ｃ、（５ｃ）第６側面部５Ｄ、及び、（５ｄ）凹部５ＥＣ及び凸部５ＥＰが連続して一列に並んで成る凹凸部５Ｅより構成される。ここで、第２平面部５Ａの長手方向は、第１平面部１Ａの長手方向ＤＬに対応する同一方向であるので、以降、長手方向ＤＬとして記載される。又、第２平面部５Ａの幅方向は、第１平面部１Ａの幅方向ＤＷに対応する同一方向であるので、以降、幅方向ＤＷとして記載される。
【００３８】
第２平面部５Ａは、その三方側が上記の第４側面部５Ｂ、第６側面部５Ｄ、及び第５側面部５Ｃの３側面で囲まれて成る全体的に凹状に窪んだ部分であり、その上面５ＡＵＳは全体的に平らな平面である。同様に、図４に示される通り、上面５ＡＵＳに対面する第２平面部５Ａの底面５ＡＢＳもまた、全体的に平らな平面である。そして、第２平面部５Ａの底面５ＡＢＳの内で、第４側板部６寄り側の面部分及び第５側板部７寄り側の面部分上には、平面視に於いて略円形となる突出部５ＡＢＰが配設されている。これら２個の突出部５ＡＢＰは、仮に第２ガイド・ケース兼用本体３００の第２底板部５を平らな床面に配置した場合には、当該床面に当接する部分である。
【００３９】
これに対して、第４側面部５Ｂ及び第５側面部５Ｃは、共に、第２平面部５Ａの長手方向ＤＬに関して互いに対向しており、且つ、長手方向ＤＬに直交する第２平面部５Ａの幅方向ＤＷに沿って延在しつつ、第２平面部５Ａの上面５ＡＵＳに立設された状態で第２平面部５Ａに結合している。又、第６側面部５Ｄは、第２平面部５Ａの上面５ＡＵＳの内で、長手方向ＤＬに沿って延在する一方の端部５ＡＥ１に立設された状態で以って第２平面部５Ａに結合している。そして、第６側面部５Ｄは、第４側面部５Ｂの一方の端部５ＢＥ１と、第４側面部５Ｂの一方の端部５ＢＥ１に長手方向ＤＬに関して対向する第５側面部５Ｃの一方の端部５ＣＥ１とを互いに繋げて長手方向ＤＬに沿って延在する側面部であり、凹状に窪んだ上面を有している。寸法関係としては、第６側面部５Ｄの当該凹状の上面の第２平面部５Ａの上面５ＡＵＳからの高さ寸法は、第４側面部５Ｂ及び第５側面部５Ｃの各々の上面の第２平面部５Ａの上面５ＡＵＳからの高さ寸法よりも小さい。換言すれば、第２平面部５Ａの上面５ＡＵＳから眺めて、第４側面部５Ｂ及び第５側面部５Ｃの各々の上面よりも、第６側面部５Ｄの当該凹状の上面の方が低い位置にある。
【００４０】
そして、凹凸部５Ｅは、図１及び図４に示される通り、幅方向ＤＷに関して第２平面部５Ａの一方の端部５ＡＥ１に対向する第２平面部５Ａの他方の端部５ＡＥ２に於いて、幅方向ＤＷに沿って波状に窪んだ凹部５ＥＣと、幅方向ＤＷに沿って波状に突出した凸部５ＥＰとが、第２平面部５Ａの上下方向（上面５ＡＵＳから底面５ＡＢＳへと向かう方向。）に関して段差を成しつつ長手方向ＤＬに沿って交互に連続的に並んで成る部分である。より詳細には次の通りである。即ち、各凸部５ＥＰは、図１及び図４に示す通り、第２平面部５Ａの他方の端部５ＡＥ２の内の対応する一部分が当該端部５ＡＥ２より幅方向ＤＷに突出することで、図１に例示される様に、上方から眺めた平面視に於いて、正弦波の上側の半波に該当する略波型のＲ状に湾曲した波形状を有している。しかも、図１及び図４に示す通り、各凸部５ＥＰの当該端部５ＡＥ２より幅方向ＤＷに突出した部分の底面５ＡＢＳ側部分は、第２平面部５Ａの底面５ＡＢＳより段差を成す様に窪んだ平面部分５ＥＰＣを成しており、当該窪んだ平面部５ＥＰＣの外縁寄り略中央部には、既述の各凹部１ＥＣの窪み部１ＡＥＰとの係止用の突起部５ＥＰＰが配設されている。これに対して、各凹部５ＥＣは、図１に示される通り、第２平面部５Ａの他方の端部５ＡＥ２の内の対応する一部分が当該端部５ＡＥ２より幅方向ＤＷに向けて内側に削り取られる態様によって、上方から眺めた平面視に於いて、正弦波の下側の半波に該当する略波型のＲ状に湾曲して窪んだ波形状を有している。しかも、図１に示される通り、各凹部５ＥＣの湾曲波形状により露出した、第２平面部５Ａの他方の端部５ＡＥ２側の窪み部分５ＡＥＰは、当該他方の端部５ＡＥ２を規定する立設状の枠部５ＥＣＷと対応する凹部５ＥＣのＲ状壁面とで囲まれつつ窪んだ平面を成している。この各凹部５ＥＣの窪み部分５ＡＥＰ内に、既述の第１ガイド・ケース兼用本体２００の対応する凸部１ＥＰの突起部１ＥＰＰが挿入されて突起部１ＥＰＰは窪み部分５ＡＥＰに係止されることになる。その上で、各凹部５ＥＣは、図１及び図４に示される通り、第２平面部５Ａの底面５ＡＢＳより幅方向ＤＷに沿って内側へ向けて突出しつつ延在している。そして、各凹部５ＥＣの底面５ＡＢＳから突出した高さ寸法は、既述した突出部５ＡＢＰの高さ寸法と同一である。従って、各凹部５ＥＣの突出した底部５ＥＣＢは、２個の相対する突出部５ＡＢＰと共に、仮に第２ガイド・ケース兼用本体３００の第２底板部５を平らな床面に配置した場合には、当該床面に当接することとなる。以上の通り、凹凸部５Ｅの、長手方向ＤＬに沿って交互に連設して成る各凸部５ＥＰ及び各凹部５ＥＣは、第２平面部５Ａの底面５ＡＢＳを基準として、乃至は、底面５ＡＢＳから見て、上記上下方向に関する段差を、長手方向ＤＬに沿って連続的に形成している。
【００４１】
２）  第４側板部６は、（６ａ）第４側板部本体部６Ａ、（６ｂ）第４側板部端部６Ｂ、及び、（６ｃ）第４側板部延在部６Ｃより構成される。詳細は次の通りである。
【００４２】
先ず、第４側板部本体部６Ａは、第２底板部５の第４側面部５Ｂの上面部に、第２平面部５Ａの上面５ＡＵＳに平行な面を基準として当該平行面から略１８０°の範囲内で回動方向Ｒ４へ自在に回動可能に、結合されている。即ち、第４側板部本体部６Ａは、同部６Ａの一部分を成す連結部６ＡＣ（図示の便宜上、ハッチング表示されている。同様に、「ヒンジ」とも称される。）を介して、上記略１８０°の回動範囲内での回動方向Ｒ４への回動を可能とする。この連結部６ＡＣも、第４側板部６乃至は第４側板部本体部６Ａと同一の材質より成る。そして、連結部６ＡＣの厚みは、第４側板部本体部６Ａの厚みよりも十分に薄い値に設定されており、斯かる厚み設定によって、連結部６ＡＣは、同様に、連結部６ＡＣと第４側面部６ＢＣの上記上面部との結合部（固定部分。）の周りに、第２平面部５Ａの上面５ＡＵＳに平行な面を基準とした略１８０°の回動範囲内での回動方向Ｒ４への回動を実現する。斯かる厚み設定の一例としては、例えば、第２底板部５の各部５Ａ，５Ｂ，５Ｃ，５Ｄの厚みが２．４ｍｍ、第４側板部本体部６Ａ及び第４側板部端部６Ｂの厚みが２．３ｍｍである場合に於いて、連結部６ＡＣの厚みは０．３ｍｍに設定される。又、第４側板部本体部６Ａは、図１及び図４に例示される通り、互いに対向しつつ幅方向ＤＷに延在する上面６ＡＵＳ及び下面６ＡＬＳを有する。そして、図１に示される様に、上面６ＡＵＳ及び下面６ＡＬＳの一方の端部６ＡＥ１は、第２底板部５の第４側面部５Ｂの一方の端部５ＢＥ１に対応しており、上面６ＡＵＳ及び下面６ＡＬＳの他方の端部６ＡＥ２は、幅方向ＤＷに関して第４側面部５Ｂの一方の端部５ＢＥ１に対向する第２底板部５の第４側面部５Ｂの他方の端部５ＢＥ２に対応している。更に、第４側板部本体部６Ａは、その各々が幅方向ＤＷに沿って並行に設けられた、上面６ＡＵＳ及び下面６ＡＬＳを貫通する、５個の貫通孔６ＡＨを有する。これらの貫通孔６ＡＨの機能も、既述した貫通孔２ＡＨ，３ＡＨ，４ＡＨ及び後述の貫通孔７ＡＨ，８ＡＨの機能と同一である。
【００４３】
次に、第４側板部本体部６Ａと連続的に繋がった第４側板部端部６Ｂは、第４側板部本体部６Ａの上面６ＡＵＳ及び下面６ＡＬＳの一方の端部６ＡＥ１に於いて、第２底板部５の第２平面部５Ａ側に向けて突出する様に立設されている。そして、第４側板部端部６Ｂは、非貫通の開孔部である第４側板部開孔部６ＢＨを、その上面部に有する。
【００４４】
更に、図１及び図４に示される通り、第４側板部延在部６Ｃが、第４側板部本体部６Ａの下面６ＡＬＳの内の、他方の端部６ＡＥ２寄り側の部分より、当該他方の端部６ＡＥ２より外側へ向けて幅方向ＤＷに沿って突出し且つ延在している。この第４側板部延在部６Ｃは、図１及び図４に示される通り、幅方向ＤＷに沿って連続的に形成された凹凸形状部分（波型形状部分）６Ｃ１，６Ｃ２を有している。しかも、第４側板部延在部６Ｃは、その略中央部に該当する上記凹形状部分６Ｃ１に於いて、他方の端部６ＡＥ２より外側へ向けて延在する、上記凹形状部分６Ｃ１を貫通する開口部６ＣＨを有する。
【００４５】
３）  第５側板部７は、（７ａ）第５側板部本体部７Ａ、（７ｂ）第５側板部端部７Ｂ、及び、（７ｃ）第５側板部突出部７Ｃより構成される。詳細は次の通りである。
【００４６】
先ず、第５側板部本体部７Ａは、第２底板部５の第５側面部５Ｃの上面部に、第２平面部５Ａの上面５ＡＵＳに平行な面を基準として当該平行面から略１８０°の範囲内で回動方向Ｒ５へ自在に回動可能に、結合されている。即ち、第５側板部本体部７Ａは、同部７Ａの一部分を成す連結部７ＡＣ（図示の便宜上、ハッチング表示されている。「ヒンジ」とも称される。）を介して、上記略１８０°の回動範囲内での回動方向Ｒ５への回動を可能とする。この連結部７ＡＣも、第５側板部７乃至は第５側板部本体部７Ａと同一の材質より成る。しかし、連結部７ＡＣの厚みは、第５側板部本体部７Ａの厚みよりも十分に薄い値に設定されており、斯かる厚み設定によって、連結部７ＡＣは、連結部７ＡＣと第５側面部５Ｃの上記上面部との結合部（固定部分である。）の周りに、第２平面部５Ａの上面５ＡＵＳに平行な面を基準とした略１８０°の回動範囲内での回動方向Ｒ５への回動を実現する。斯かる厚み設定の一例としては、例えば、第２底板部５の各部５Ａ，５Ｂ，５Ｃ，５Ｄの厚みが２．４ｍｍ、第５側板部本体部７Ａ及び第５側板部端部７Ｂの厚みが２．３ｍｍである場合に於いて、第５側板部本体部７Ａの連結部７ＡＣの厚みは０．３ｍｍに設定される。又、第５側板部本体部７Ａは、図１及び図４に例示される通り、互いに対向しつつ幅方向ＤＷに延在する上面７ＡＵＳ及び下面７ＡＬＳを有する。そして、図１及び図４に示される様に、上面７ＡＵＳ及び下面７ＡＬＳの一方の端部７ＡＥ１は、第２底板部５の第５側面部５Ｃの一方の端部５ＣＥ１に対応しており、上面７ＡＵＳ及び下面７ＡＬＳの他方の端部７ＡＥ２は、幅方向ＤＷに関して第５側面部５Ｃの一方の端部５ＣＥ１に対向する第２底板部５の第５側面部５Ｃの他方の端部５ＣＥ２に対応している。更に、第５側板部本体部７Ａは、その各々が幅方向ＤＷに沿って並行に設けられた、上面７ＡＵＳ及び下面７ＡＬＳを貫通する、３個の貫通孔７ＡＨを有する。
【００４７】
次に、第５側板部本体部７Ａと連続的に繋がった第５側板部端部７Ｂは、第５側板部本体部７Ａの上面７ＡＵＳ及び下面７ＡＬＳの一方の端部７ＡＥ１に於いて、第２底板部５の第２平面部５Ａ側に向けて突出する様に立設されている。そして、第５側板部端部７Ｂは、非貫通の開孔部である第５側板部開孔部７ＢＨを、その上面部に有する。
【００４８】
更に、凸状に突出した第５側板部突出部７Ｃは、図１及び図４に示される通り、第５側板部本体部７Ａの下面７ＡＬＳの内の、他方の端部７ＡＥ２寄り側の部分上に、配設されている。この第５側板部突出部７Ｃは、図１に示される様に、下面７ＡＬＳの他方の端部７ＡＥ２寄り側の部分から下面７ＡＬＳの中央部に向けて次第に盛り上がる様に、幅方向ＤＷに沿って傾斜しつつ延在しており、その端部の頂部より下面７ＡＬＳに向けて略直角に落ち込んでいる。
【００４９】
４）  第６側板部８は、（８ａ）第６側板部本体部８Ａ、（８ｂ）第６側板部一方端部側突出部８Ｂ、及び、（８ｃ）第６側板部他方端部側突出部８Ｃより構成される。詳細は次の通りである。
【００５０】
先ず、第６側板部本体部８Ａは、第２底板部５の第６側面部５Ｄの上面部に、第２平面部５Ａの上面５ＡＵＳに平行な面を基準として当該平行面から略１８０°の範囲内で回動方向Ｒ６へ自在に回動可能に、結合されている。即ち、第６側板部本体部８Ａは、同部８Ａの一部分を成す連結部８ＡＣ（図示の便宜上、ハッチング表示されている。同様に、「ヒンジ」とも称される。）を介して、上記略１８０°の回動範囲内での回動方向Ｒ６への回動を可能とする。この連結部８ＡＣも、第６側板部８乃至は第６側板部本体部８Ａと同一の材質より成る。但し、連結部８ＡＣの厚みは、第６側板部本体部８Ａの厚みよりも十分に薄い値に設定されており、斯かる厚み設定によって、連結部８ＡＣは、連結部２ＡＣと同様に、連結部８ＡＣと第６側面部５Ｄの上記上面部との結合部（固定部分。）の周りに、第２平面部５Ａの上面５ＡＵＳに平行な面を基準とした略１８０°の回動範囲内での回動方向Ｒ６への回動を実現する。斯かる厚み設定の一例としては、例えば、第２底板部５の各部５Ａ，５Ｂ，５Ｃ，５Ｄの厚みが２．４ｍｍ、第６側板部本体部８Ａの厚みが２．３ｍｍである場合に於いて、連結部８ＡＣの厚みは０．３ｍｍに設定される。又、第６側板部本体部８Ａは、図１及び図４に例示される通り、互いに対向しつつ長手方向ＤＬに延在する上面８ＡＵＳ及び下面８ＡＬＳを有する。そして、図１に示される様に、上面８ＡＵＳ及び下面８ＡＬＳの幅方向ＤＷに延在する一方の端部８ＡＥ１は、第２底板部５の第４側面部５Ｂの一方の端部５ＢＥ１に近接配設されている。他方、上面８ＡＵＳ及び下面８ＡＬＳの幅方向ＤＷに延在する他方の端部８ＡＥ２は、第２底板部５の第５側面部５Ｃの一方の端部５ＣＥ１に近接配設されている。更に、第６側板部本体部８Ａは、その各々が長手方向ＤＬに沿って並行に設けられた、上面８ＡＵＳ及び下面８ＡＬＳを貫通する、１２個の貫通孔８ＡＨを有する。
【００５１】
次に、第６側板部本体部８Ａと連続的に繋がった第６側板部一方端部側突出部８Ｂは、第６側板部本体部８Ａの一方の端部８ＡＥ１の上面より連続的に第４側板部６側へ向けて突出している。そして、第６側板部一方端部側突出部８Ｂは、第４側板部本体部６Ａが第２底板部５の第４側面部５Ｂの上記上面部に対して略垂直上方に位置する様に配設されている場合に於ける第４側板部開孔部６ＢＨ内に全体的に嵌合可能な形状・寸法を有する。
【００５２】
更に、第６側板部本体部８Ａと連続的に繋がった第６側板部他方端部側突出部８Ｃは、第６側板部本体部８Ａの他方の端部８ＡＥ２の上面より連続的に第５側板部７側へ向けて突出している。そして、第６側板部他方端部側突出部８Ｃは、第５側板部本体部７Ａが第２底板部５の第５側面部５Ｃの上記上面部に対して略垂直上方に位置する様に配設されている場合に於ける第５側板部開孔部７ＢＨ内に全体的に嵌合可能な形状・寸法を有する。
【００５３】
Ｃ．第１ガイド・ケース兼用本体２００及び第２ガイド・ケース兼用本体３００の対応関係の構成
【００５４】
以上の構成を有する第１ガイド・ケース兼用本体２００及び第２ガイド・ケース兼用本体３００は、更に、両者２００，３００間に成立する、以下の対応関係の構成を具備している。
【００５５】
即ち、ｉ）図１及び図４に於いて矢印ＳＡＲで示される様に、第１底板部１の凹凸部１Ｅ及び第２底板部５の凹凸部５Ｅは、第１底板部１の凹凸部１Ｅの各凸部１ＥＰがそれぞれ第２底板部５の凹凸部５Ｅの内の対応する凹部５ＥＣに着脱自在に嵌合され得るという対応関係を有する。且つ、第１底板部１の凹凸部１Ｅ及び第２底板部５の凹凸部５Ｅは、第１底板部１の凹凸部１Ｅの各凹部１ＥＣがそれぞれ第２底板部５の凹凸部５Ｅの内の対応する凸部５ＥＰに着脱自在に嵌合され得るという対応関係を有する。この様な第１底板部１の凹凸部１Ｅ及び第２底板部５の凹凸部５Ｅが互いに嵌合されて結合する場合には、既述した通り、各突起部１ＥＰＰ，５ＥＰＰは対応する窪み部分５ＡＥＰ，１ＡＥＰに係止されることになる。
【００５６】
又、ｉｉ）図１及び図４に於いて破線矢印ＢＡＲ１で示される様に、第１側板部２の第１側板部突出部２Ｃ及び第４側板部６の第４側板部延在部６Ｃは、第１側板部突出部２Ｃが第４側板部延在部６Ｃの開口部６ＣＨに係止される、という対応関係を有する。
【００５７】
更に、ｉｉｉ）図１及び図４に於いて破線矢印ＢＡＲ２で示される様に、第２側板部３の第２側板部延在部３Ｃ及び第５側板部７の第５側板部突出部７Ｃは、第５側板部突出部７Ｃが第２側板部延在部３Ｃの開口部３ＣＨに係止される、という対応関係を有する。
【００５８】
これらの対応関係ｉ）、ｉｉ）及びｉｉｉ）は、以下に記載される組立工程を経て組み立てられた第１ガイド・ケース兼用本体２００及び第２ガイド・ケース兼用本体３００を用いて食品（例：わんぱくサンド）を製作した後に、両本体２００，３００をそのまま当該食品を持ち運ぶためのケースとして利用する際に適用される対応関係に、該当する。
【００５９】
Ｄ．蓋部４００の構成
図５の表面側構成乃至は正面側構成に示される通り、蓋部４００は、実質的に当該蓋部４００の深さを規定する所定の高さを備えた第１側面部乃至第４側面部４００Ｓ１，４００Ｓ２，４００Ｓ３，４００Ｓ４より成る、４つの側面部を有する。その内、第１側面部４００Ｓ１及び第３側面部４００Ｓ３の各々の縁部寄り部分の中央部には、滑らかな曲線を描いて突出した凸部４００ＰＴ１，４００ＰＴ２が一体的に配設されている。これらの凸部４００ＰＴ１，４００ＰＴ２は、それぞれ、組立後の第１ガイド・ケース兼用本体２００及び第２ガイド・ケース兼用本体３００の上記対応関係に於いて既述した、互いに係止状態にある、第１側板部突出部２Ｃ及び第４側板部延在部６Ｃ、並びに、第２側板部延在部３Ｃ及び第５側板部突出部７Ｃを、上方から被覆する部分に該当している。又、第２側面部４００Ｓ２及び第４側面部４００Ｓ４の各々は、それぞれの縁部の略中央部より、外側へ向かって突出した第１耳部４００ＥＣ１及び第２耳部４００ＥＣ２を有している。これらの第１耳部４００ＥＣ１及び第２耳部４００ＥＣ２は、それぞれ、「ヒンジ」として機能する極薄の結合部４００ＥＣ１，４００ＥＣ２（図５では、図示の便宜上、ハッチング表示されている。）を介して、第２側面部４００Ｓ２及び第４側面部４００Ｓ４の上記縁部に結合している。これらの結合部４００ＥＣ１，４００ＥＣ２は、それぞれ、第１耳部４００ＥＣ１及び第２耳部４００ＥＣ２の一構成部分を成す。ここで、結合部４００ＥＣ１，４００ＥＣ２の厚みは、第１耳部４００ＥＣ１及び第２耳部４００ＥＣ２並びに第２側面部４００Ｓ２及び第４側面部４００Ｓ４の厚み（これらの厚みは同等に設定される。例：２．３ｍｍ）と比較して十分に薄い値に設定されており、例えば０．３ｍｍである。この様な極薄の結合部４００ＥＣ１，４００ＥＣ２の配設により、第１耳部４００ＥＣ１及び第２耳部４００ＥＣ２は、それぞれ、第２側面部４００Ｓ２及び第４側面部４００Ｓ４に平行な平面を基準とした略１８０°の回動範囲内で、回動方向Ｒ７，Ｒ８の周りに、自在に回動し得る。そして、第１耳部４００ＥＣ１及び第２耳部４００ＥＣ２は、それぞれの裏面側に、縦断面形状がＬ字型を成すと共に当該裏面より突出して成る、第１突起部４００ＥＰ１Ｐ及び第２突起部４００ＥＰ２Ｐを有する。これらの第１突起部４００ＥＰ１Ｐ及び第２突起部４００ＥＰ２Ｐは、それぞれ、第１耳部４００ＥＣ１及び第２耳部４００ＥＣ２が図５の紙面に垂直で且つ下方向に向けて回動されて折り曲げられた際には、組立後の第１ガイド・ケース兼用本体２００及び第２ガイド・ケース兼用本体３００に於ける貫通孔４Ａ，８Ａの一つに嵌め込まれることとなる。
【００６０】
又、図５の表面側構成に示される通り、蓋部４００は、破線ＤＬを境界線として段差を成す２つの上面を有する。即ち、蓋部４００の当該上面は、第１側面部乃至第４側面部４００Ｓ１，４００Ｓ２，４００Ｓ３，４００Ｓ４と連続的に繋がった第１上面４００ＵＳ１、及び、第１上面４００ＵＳ１より上記段差を介して盛り上がった第２上面４００ＵＳ２より成る。これらの上面４００ＵＳ１，４００ＵＳ２を隔てる上記段差の高さは、第１側面部乃至第４側面部４００Ｓ１，４００Ｓ２，４００Ｓ３，４００Ｓ４の高さよりも格段に小さい。
【００６１】
図示はされていないが、蓋部４００の裏面側部分乃至は背面側部分は、蓋部４００の第１側面部乃至第４側面部４００Ｓ１，４００Ｓ２，４００Ｓ３，４００Ｓ４の縁部で以って外縁が規定される、全体的に凹状に窪んだ底部を成す。この蓋部４００の裏面側の底部は、後述する様に、未使用時乃至は使用終了後に折り畳まれて成る第１ガイド・ケース兼用本体２００及び第２ガイド・ケース兼用本体３００を全体的に収納し得る収納スペース乃至は収納空間として機能する。
【００６２】
ここで、蓋部４００の機能を概略記載すれば、蓋部４００は、組立後の第１ガイド・ケース兼用本体２００及び第２ガイド・ケース兼用本体３００を後述の通りに対向配置した際に生じ得る、第１側板部乃至第６側板部２，３，４，６，７，８の各々によって囲まれて成る上部開口部分を全体的に被覆する。更に、蓋部４００は、互いに係止状態にある、第１側板部突出部２Ｃ及び第４側板部延在部６Ｃ並びに第５側板部突出部７Ｃ及び第２側板部延在部３Ｃの全体をも被覆する。換言すれば、蓋部４００は、この様な機能を実現し得る形状及び寸法を有する。
【００６３】
＜第１ガイド・ケース兼用本体２００及び第２ガイド・ケース兼用本体３００の組立工程＞
【００６４】
以下では、食品（例：わんぱくサンド）を製作する前段階の工程である第１ガイド・ケース兼用本体２００及び第２ガイド・ケース兼用本体３００の組立工程について記載する。
【００６５】
Ａ．第１ガイド・ケース兼用本体２００の組立工程
【００６６】
最初に、第１ガイド・ケース兼用本体２００は、図１に示される状態にあるとする。この状態より、製作者は、横たわった状態にある第１側板部２、第２側板部３及び第３側板部４の各々を、回動方向Ｒ１，Ｒ２，Ｒ３へと略９０°回動させることで、第１底板部１の第１平面部１Ａに対して略垂直に立設した状態へと移動させる。斯かる状態より、製作者は、第３側板部一方端部側突出部４Ｂを第１側板部開孔部２ＢＨ内に全体的に嵌合させると共に、第３側板部他方端部側突出部４Ｃを第２側板部開孔部３ＢＨ内に全体的に嵌合させる。これらの嵌合作業によって、第３側板部４は、第１平面部１Ａに対して略垂直に立設した状態で、第１側板部２及び第２側板部３と一体的に結合されることとなり、第１ガイド・ケース兼用本体２００の組立てが完了する。この組立工程完了後の第１ガイド・ケース兼用本体２００を各矢印方向ＡＲ１，ＡＲ２，ＡＲ３から眺めた正面構成の各々が、既述の図２（ａ）、図２（ｂ）、及び、図３の各図面に示される構成である。又、組立工程完了後の第１ガイド・ケース兼用本体２００の底面側の構成を眺めた平面視構成が、既述の図４に該当する。組立工程完了後の第１ガイド・ケース兼用本体２００の高さ寸法は、図２（ａ）、図２（ｂ）、及び、図３に示されている通り、高さＨである。尚、図３に於いて、第１ガイド・ケース兼用本体２００の左右の高さ寸法は共に高さＨで揃っているが、仮に当該左右の高さ寸法に多少の相違が生じていても、その場合でも、後述する食品製作・持運びの利点乃至は効果には影響は無い。
【００６７】
Ｂ．第２ガイド・ケース兼用本体３００の組立工程
【００６８】
同様に、初期状態として、第２ガイド・ケース兼用本体３００は、図１に示される状態にあるとする。この状態より、製作者は、横たわった状態にある第４側板部６、第５側板部７及び第６側板部８の各々を、回動方向Ｒ４，Ｒ５，Ｒ６へと略９０°回動させることで、第２底板部５の第２平面部５Ａに対して略垂直に立設した状態へと移動させる。斯かる状態より、製作者は、第６側板部一方端部側突出部８Ｂを第４側板部開孔部６ＢＨ内に全体的に嵌合させると共に、第６側板部他方端部側突出部８Ｃを第５側板部開孔部７ＢＨ内に全体的に嵌合させる。これらの嵌合作業によって、第６側板部８は、第２平面部５Ａに対して略垂直に立設した状態で、第４側板部６及び第５側板部７と一体的に結合されることとなり、第２ガイド・ケース兼用本体３００の組立てが完了する。この組立工程完了後の第２ガイド・ケース兼用本体３００を各矢印方向ＡＲ４，ＡＲ５，ＡＲ６から眺めた正面構成の各々が、既述の図２（ａ）、図２（ｂ）、及び、図３の各図面に示される構成に相当している。又、組立工程完了後の第２ガイド・ケース兼用本体３００の底面側の構成を眺めた平面視構成が、既述の図４に該当する。組立工程完了後の第２ガイド・ケース兼用本体３００の高さ寸法は、図２（ａ）、図２（ｂ）、及び、図３に示される通り、高さＨである。尚、第２ガイド・ケース兼用本体３００の左右の高さ寸法は共に同一高さで揃っているが、仮に当該左右の高さ寸法に多少の相違が生じていても、その場合でも、後述する食品製作・持運びの利点乃至は効果には影響は無い。
【００６９】
＜組立完了後の第１ガイド・ケース兼用本体２００及び第２ガイド・ケース兼用本体３００を用いた食品製作工程及び持運びケース組立工程＞
【００７０】
Ａ．食品製作工程（ガイド機能）
次に、組立完了後の第１ガイド・ケース兼用本体２００及び第２ガイド・ケース兼用本体３００を適用して所定の食品を製作する工程を記載する。ここでは、製作すべき食品として、通常のサンドイッチよりも具材が正に溢れんばかりに約３〜４倍程も有るサンドイッチである、所謂「わんぱくサンド」を製作して、そのまま持ち運べるケースを実現する場合について記載する。
【００７１】
ここで、図６は、組立て後の第１ガイド・ケース兼用本体２００及び第２ガイド・ケース兼用本体３００を使用して、上記「わんぱくサンド」に該当するサンドイッチを製作する方法乃至は工程を模式的に示す斜視図である。又、図７は、組立て後の第１ガイド・ケース兼用本体２００及び第２ガイド・ケース兼用本体３００を使用して、製作された後のサンドイッチ（「わんぱくサンド」に該当。）をそのままの状態で収容するケースとして適用される構成乃至は工程を模式的に示す斜視図である。
【００７２】
先ず、製作者は、既述の工程の通りに組み立てられた第１ガイド・ケース兼用本体２００及び第２ガイド・ケース兼用本体３００を準備する。
【００７３】
その上で、図６に示される様に、製作者は、第２側板部３の第２側板部延在部３Ｃ及び第４側板部６の第４側板部延在部６Ｃが互いに対向しつつ且つ共に上方に向けて突出配置される様に、第１ガイド・ケース兼用本体２００及び第２ガイド・ケース兼用本体３００を隣接して位置合わせする。この両本体２００，３００の隣接配設により、第１ガイド・ケース兼用本体２００の、第３側板部４を底面とし且つ各部１，２，３で囲まれて成る開口空間と、第２ガイド・ケース兼用本体３００の、第６側板部８を底面とし且つ各部５，６，７で囲まれて成る開口空間とは、互いに隣接しつつ対向配設されることなる。その結果、第１側板部２の上面と第４側板部の上面、第２側板部３の上面と第５側板部の上面、及び、第３側板部４の上面と第６側板部８の上面とは、互いに当接した状態となる。
【００７４】
次に、この当接状態より、製作者は、間隔ｄを有する間隙９が、第１ガイド・ケース兼用本体２００及び第２ガイド・ケース兼用本体３００間に生じる様に、第１ガイド・ケース兼用本体２００及び第２ガイド・ケース兼用本体３００を互いに引き離す（図６の矢印（１）参照。）。この工程では、製作者は、パン切りのための包丁（又はパン切り用ナイフであっても良い。）５００が間隙９の当該隙間に入り込む様に、間隙９の間隔ｄを調整して設定する。或いは、当初より、この様な間隔ｄの隙間を有する間隙９が生じる様に、製作者は、第１ガイド・ケース兼用本体２００及び第２ガイド・ケース兼用本体３００を互いに隣接・対向配置させることとしても良い。この状態に於いて、間隙９を有して対向配設された第１ガイド・ケース兼用本体２００及び第２ガイド・ケース兼用本体３００は、一体として、当該わんぱくサンドの食材である２切れのパン及び具材を空間内に配置するための案内役としての「ガイド」して機能することとなる。
【００７５】
そこで、製作者は、先ず、パン（例えば食パン）６００を、間隙９を有して対向配設された第１ガイド・ケース兼用本体２００及び第２ガイド・ケース兼用本体３００によって作り出された開口空間内に、上方より、差し込んで配置する。ここで、図６では、図示の便宜上、パン６００は一例として食パンであって、当該食パンの縁部分は狭い間隔のハッチングで表示されており、当該食パンのその他の本体部分はより広い間隔のハッチングで表示されている。次に、製作者は、パン６００の上に、目玉焼き等の卵料理又はレタス等の野菜等より成る、たっぷりの量の具材を配置し、更に、その具材の上に、パン（ここでは食パン）を配置する。これにより、（パン６００＋具材＋パン）より成る当該食品の食材乃至は当該わんぱくサンドの食材は、第１ガイド・ケース兼用本体２００及び第２ガイド・ケース兼用本体３００によって作り出された上記開口空間で形成される枠内に挿入された状態となる。
【００７６】
その上で、製作者は、図６に便宜的に示す切り込みライン５００Ｌに沿って、包丁５００を間隙９内に差し込んで下方へ押し込む動作を行うことで、当該食品の食材乃至は当該わんぱくサンドの食材を２分割する様に切り込む。この包丁５００の切り込み工程で以って、２個のわんぱくサンドより成る所定の食品が形成される。
【００７７】
ここでは、典型例として、２個のわんぱくサンドを製作する工程を記載しているが、その様な一例に代えて、通常の量の具材を有するサンドイッチの食材を上記の工程通りに包丁５００で切り込んでも良い。その状態で、後述の工程Ｂ．ケース組立工程を経た後に、当該２分割されたサンドイッチの上に、ラップを介して、その他の食材（例えばパスタ・魚・肉等の料理済み品。）を更に配置することで、所定の食品を製作することとしても良い。
【００７８】
以上の通りで、所定の食品が制作されたこととなるが、本実施の形態では、対向配設された状態にある第１ガイド・ケース兼用本体２００及び第２ガイド・ケース兼用本体３００をそのまま利用することで、ガイド機能のみならず、当該所定の食品をそのままの状態で持運び可能なケースとして両本体２００及び３００を適用可能とする工程について、更に以下に記載する。
【００７９】
Ｂ．ケース組立工程（持運びケース機能）
【００８０】
先ず、製作者は、図６に示される矢印（２）の方向に、略９０°だけ、第１ガイド・ケース兼用本体２００及び第２ガイド・ケース兼用本体３００の各々を回転させて起こす。斯かる第１ガイド・ケース兼用本体２００及び第２ガイド・ケース兼用本体３００を共に起こす工程によって、２個のわんぱくサンドの切り目は共に上方に向くこととなる。
【００８１】
その状態で、更に、製作者は、図６に示される矢印（３）の方向に、起こされた第１ガイド・ケース兼用本体２００及び第２ガイド・ケース兼用本体３００の各々を略１８０°回転させる。斯かる回転工程による向きの変更によって、第１ガイド・ケース兼用本体２００及び第２ガイド・ケース兼用本体３００の各々の内側部分に該当する、第１底板部１の凹凸部１Ｅと、第２底板部５の凹凸部５Ｅとは、互いに向き合うこととなる。この状態に於いて、製作者は、既述した通りに、第１底板部１の凹凸部１Ｅ及び第２底板部５の凹凸部５Ｅ同士を互いに嵌合させて、以って、向き合った状態の第１ガイド・ケース兼用本体２００及び第２ガイド・ケース兼用本体３００を一体化させる。その際に、第１側板部２の第１側板部突出部２Ｃは、第４側板部６の第４側板部延在部６Ｃの開口部６ＣＨ内に嵌り込んで当該開口部６ＣＨで係止され、第４側板部延在部６Ｃの凸形状部分６Ｃ２の最頂部は第１側板部本体部２Ａの下面２ＡＬＳに当接した状態となる。同様に、第５側板部７の第５側板部突出部７Ｃは、第２側板部３の第２側板部延在部３Ｃの開口部３ＣＨ内に嵌り込んで当該開口部３ＣＨで係止され、第２側板部延在部３Ｃの凸形状部分３Ｃ２の最頂部は第５側板部本体部７Ａの下面７ＡＬＳに当接した状態となる。
【００８２】
上記の凹凸部１Ｅ，５Ｅ同士の嵌合工程及び上記の係止工程後の一体化された第１ガイド・ケース兼用本体２００及び第２ガイド・ケース兼用本体３００を示す図が、図７である。尚、図７では、図示の便宜上、２個のわんぱくサンドの内の一方のわんぱくサンドＳＷについて、その具材はハッチング表示されており、当該具材を挟み込む２個のパンは梨地で表示されている。
【００８３】
図７に例示される様に、２個のわんぱくサンドは、一体化された第１ガイド・ケース兼用本体２００及び第２ガイド・ケース兼用本体３００によって囲まれて、その内部に収納されている。即ち、一体化された第１ガイド・ケース兼用本体２００及び第２ガイド・ケース兼用本体３００は、当該両本体２００，３００をガイドして使用することで製作した後の２個のわんぱくサンドをそのままの状態で収納し且つ持ち運び得る機能を呈する。
【００８４】
この後、製作者は、図７の矢印（４）に示す上方から、図５の既述の蓋部４００で以って、一体化された第１ガイド・ケース兼用本体２００及び第２ガイド・ケース兼用本体３００が作り出す上部開口部分を全体的に被覆する様に蓋をする。この工程によって、第１ガイド・ケース兼用本体２００、第２ガイド・ケース兼用本体３００及び蓋部４００より成る、製作された２個のわんぱくサンドをそのままの状態で収納し且つ持ち運び得るケースが完成される。勿論、当該ケースは、普通の量の具材を有する通常のサンドイッチを収納し且つ持ち運び得るケースとしても適用可能である。
【００８５】
以上の通り、本実施の形態に係る、組立て後の第１ガイド・ケース兼用本体２００及び第２ガイド・ケース兼用本体３００を、互いに分離しつつ対向配置させることで、わんぱくサンドの様な所定の食品を製作するための「ガイド」して利用することが出来、その際に、食材の量が多くても、食材をこぼさずに、簡単且つ素早く、包丁で食材をカットすることが出来る。しかも、組立て後の第１ガイド・ケース兼用本体２００及び第２ガイド・ケース兼用本体３００を一体化させることで、両本体２００，３００をそのまま持ち運び可能なケースとして利用することが出来、その結果、製作後の所定の食品を別の容器に詰める工程を省くことが出来、その意味で、製作者にとっては、両本体２００，３００は便利で重宝する器具である。
【００８６】
＜第１ガイド・ケース兼用本体２００及び第２ガイド・ケース兼用本体３００の蓋部４００内への収納＞
【００８７】
収納されていた所定の食品が食べられた後の、使用後の両本体２００，３００又は未使用時の両本体２００，３００の各々は、互いに分離された状態の下で、蓋部４００の裏面側部分の凹状空間内に、折り畳まれた状態で、コンパクトに収納され得る。この点も、第１ガイド・ケース兼用本体２００及び第２ガイド・ケース兼用本体３００が奏する機能の一つである。その様な蓋部４００の裏面側部分の凹状空間内に折り畳まれた状態で収納されている第１ガイド・ケース兼用本体２００及び第２ガイド・ケース兼用本体３００を示す図が、図８である。即ち、図８は、第１ガイド・ケース兼用本体２００及び第２ガイド・ケース兼用本体３００が折り畳まれた状態で蓋部４００の裏側内に収納されている状態を模式的に示す平面図である。図８の例示の通り、互いに分離された状態にある第１ガイド・ケース兼用本体２００及び第２ガイド・ケース兼用本体３００の各々は、次の収納工程（折り畳み工程）を経ることで、容易に、蓋部４００の裏面側部分の凹状空間４００ＲＳ内に、蓋部４００の裏面側の突起部４００ＲＰとの係止状態を介して、収納される。
【００８８】
先ず、第１ガイド・ケース兼用本体２００が既述の通りに組み立てられている場合には、製作者は、第１ガイド・ケース兼用本体２００の各部の結合を分離して、第１ガイド・ケース兼用本体２００を非組立状態とする。これにより、第１ガイド・ケース兼用本体２００の各部は、図１に示される展開状態にある。
【００８９】
その上で、１）製作者は、第３側板部４を、第１底板部１の第１平面部１Ａの上面１ＡＵＳに向けて、回動方向Ｒ３へ回動させて折り畳むことで、上面１ＡＵＳに当接させる。２）その後、製作者は、第１側板部２及び第２側板部３をそれぞれ回動方向Ｒ１，Ｒ２の周りに回動させて折り畳むことで、既に折り畳まれた状態にある第３側板部４の上に重畳させる。
【００９０】
同様に、第２ガイド・ケース兼用本体３００が既述の通りに組み立てられている場合には、製作者は、第２ガイド・ケース兼用本体３００の各部の結合を分離して、第２ガイド・ケース兼用本体３００を非組立状態とする。これにより、第２ガイド・ケース兼用本体３００の各部は、図１に示される展開状態にある。
【００９１】
その上で、３）製作者は、第６側板部８を、第２底板部５の第２平面部５Ａの上面５ＡＵＳに向けて、回動方向Ｒ６の周りに回動させて折り畳むことで、上面５ＡＵＳに当接させる。４）その後、製作者は、第４側板部６及び第５側板部７をそれぞれ回動方向Ｒ４，Ｒ５の周りに回動させて折り畳むことで、既に折り畳まれた状態にある第６側板部８の上に重畳させる。
【００９２】
そして、製作者は、上記の通りにコンパクトに折り畳まれた状態にある第１ガイド・ケース兼用本体２００及び第２ガイド・ケース兼用本体３００の各々を、対応する突起部４００ＲＰに係止させつつ、蓋部４００の裏面側部分の凹状空間４００ＲＳ内に収納する。この収納状態が、図８に示される収納状態である。この収納状態に於いて、蓋部４００の裏面側部分の凹状空間４００ＲＳ内では、第１側板部突出部２Ｃは第４側板部延在部６Ｃの開口部６ＣＨで係止され、第５側板部突出部７Ｃは第２側板部延在部３Ｃの開口部３ＣＨで係止されている。折り畳まれた状態の第１ガイド・ケース兼用本体２００及び第２ガイド・ケース兼用本体３００の各々は、各突起部４００ＲＰとの係止状態により、落下することなくコンパクトに、蓋部４００の裏面側部分の凹状空間４００ＲＳ内に収納される。
【００９３】
以上の通り、製作者は、使わないときには、折り畳んだ状態でコンパクトに第１ガイド・ケース兼用本体２００及び第２ガイド・ケース兼用本体３００の各々を蓋部４００内に収納することが出来る。従って、第１ガイド・ケース兼用本体２００及び第２ガイド・ケース兼用本体３００を収納するための新たな場所の設定は不要となる。
【００９４】
（変形例）
実施の形態１では、第１ガイド・ケース兼用本体及び第２ガイド・ケース兼用本体の各凹凸部の凸部及び凹部は、波型形状を有していたが、この様な形状に限定される訳ではなく、任意形状であって、例えば矩形型形状を有していても良い。
【００９５】
第２側板部延在部及び第４側板部延在部の各々の形状も任意である。
【００９６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００９７】
本考案は、例えば、ボリュームたっぷり感の食材を有するサンドイッチ（所謂「わんぱくサンド」に該当。）等の食品（食べ物）を製作して、製作された当該食品をそのまま持ち運び可能とする、「食品製作ガイド及び食品持運びケース兼用器具」に適用して好適である。
【符号の説明】
【００９８】
１００  食品製作ガイド及び食品持運びケース兼用器具
２００  第１ガイド・ケース兼用本体
３００  第２ガイド・ケース兼用本体
４００  蓋部
１  第１底板部
２  第１側板部
３  第２側板部
４  第３側板部
５  第２底板部
６  第４側板部
７  第５側板部
８  第６側板部
９  間隙
５００  包丁
【図１】
0003207287.tif 000003
【図２】
0003207287.tif 000004
【図３】
0003207287.tif 000005
【図４】
0003207287.tif 000006
【図５】
0003207287.tif 000007
【図６】
0003207287.tif 000008
【図７】
0003207287.tif 000009
【図８】
0003207287.tif 000010